(57)【要約】【課題】  複写機やファクシミリにおいて、シート読みをしても、ゴミや汚れにより発生する黒スジの無い綺麗な画像を提供する。【解決手段】  ラインセンサーとシート読取用の原稿搬送装置と、原稿台に汚れが付着する事を防ぐ為の透明なシートと、透明なシートを移動させる移動装置と、シート移動を制御する制御装置とを備える原稿読取装置である。【選択図】  図１
2006211355.tif 000002
【特許請求の範囲】
【請求項１】
搬送された原稿と原稿台ガラスとの間に透明なシートとリニアイメージセンサと、白ローラを有する事を特徴とする原稿読取装置。
【請求項２】
請求項２に記載の原稿読取装置において、
前記透明なシートを移動する事を可能とする移動装置を有する事を特徴とする原稿読取装置。
【請求項３】
請求項２の原稿読取装置において、前記透明なシートを移動する際に、前記リニアイメージセンサが前記白ローラを読み取ることで、前記透明なシートに汚れが付いていないかどうかを判定する判定装置を有する事を特徴とする原稿読取装置。
【請求項４】
請求項１に記載の原稿読取装置において、
前記透明なシートに付着したゴミやインクをふき取る機能を備えたゴミ除去装置を有する事を特徴とする原稿読取装置。
【発明の詳細な説明】
【技術分野】
【０００１】
本発明は、原稿読取装置及び方法に関し、特に、リニアイメージセンサを用い、原稿自動給紙装置に組み合わせて読取を行う場合に発生する、ゴミによる黒スジを軽減する技術である。
【背景技術】
【０００２】
従来より、リニアイメージセンサを用いた画像読取装置として、図１に示す構成のものがある。
【０００３】
図１の１０１は原稿照明装置、１０２はリニアイメージセンサ（図の場合はＣＩＳ）、１０３は原稿台ガラス、１０４はリニアイメージセンサ搬送用のパルスモータ、１０５は搬送用ベルト、１０６は原稿給紙ローラ、１０７は原稿搬送ローラ、１０８は白基準板である。
【０００４】
このような、画像読取装置、および原稿自動送り装置を使用した画像読取モードとして、光学系は移動させず、ガラス上を一定速度で移動する原稿を読み取る通称“流し読み”といわれるモードがある。
【０００５】
この“流し読み”とは、原稿読取装置側は、ＣＩＳ（１０３）を移動し，そのままの状態で原稿自動送り装置側で原稿を一定速度で移動させながら原稿を読み取るという方法である。図１上の矢印は、読取原稿の送り方向である。
【０００６】
この流し読みモードでは、原稿をただ一定方向に移動するだけで良いので、大量の原稿を連続して読み取る場合に、原稿と原稿の間の時間が、スキャン動作にくらべて短かく、且つ制御による微調整が容易であるというメリットがある。
【０００７】
ところが、この流し読みモードの場合、図２に示すように、原稿台ガラスの流読み位置にゴミ、汚れがあると、読取画像の対応する主走査位置で黒スジが発生してしまうという問題がある。これは、原稿が移動による読み取り方法である為、移動しない原稿台ガラスについたゴミや汚れを、副走査方向に向かって常にＣＩＳが読み取ってしまう事に起因する。これらの問題の多くは、読み取った原稿に付着したゴミや、定着性の悪いインクが原稿台ガラスに付着する事で発生している。
これまで、この問題を解決する方法としては、
方法１  ガラス面の清掃作業
方法２  黒スジ判定を行い、黒スジ部には周囲画素による埋め込みが考えられてきた。
【０００８】
又、別の従来例としては、例えば特許文献１と特許文献２をあげることが出来る。
【特許文献１】特開昭６３−１８７８６５号公報
【特許文献２】特開２００３−１４３３７８号公報
【発明の開示】
【発明が解決しようとする課題】
【０００９】
しかし、前記方法２では多くの黒すじの原因である原稿台についた原稿のインクによる黒スジを隠す事が困難である。その理由は、インク汚れは原稿台の広範囲に付着してしまい、周囲画素による埋め込みでは著しく画質が落ちるからである。
【００１０】
よって、前記方法１が最も確実な方法であり、一般的な方法である。しかし、これは複写機の構成上自動化は困難であり、且つ、多量に積載された原稿に対しては、効果が薄い。なぜなら、第３番目の原稿でゴミやインクが原稿台ガラスに付着した場合、その後の原稿画像には、常に同じ位置に黒スジが発生してしまう。よって、コピー作業はやり直しとなってしまう危険性が高い。特に、近年の複写機の高速化によって、数百枚単位の紙の無駄が発生してしまう。
【課題を解決するための手段】
【００１１】
本原稿読取装置は、原稿を読み取る為のリニアイメージセンサと、リニアイメージセンサの輝度基準を作る為の白基準板と、流し読みを行なう為の原稿搬送装置と、原稿台ガラスと、原稿台ガラスの汚れを防ぐ読取主走査方向と同じ長さの透明フィルムと、前記透明フィルムを移動する移動装置と、前記透明フィルムが汚れているかどうかを判定する判定装置と、前記透明フィルムを清掃する清掃装置とを有する事を特徴とする原稿読取装置である。
【発明の効果】
【００１２】
本発明により、多くの原稿をシート読みしても、原稿台にインクやごみが付着したとしても、付着後の原稿の画像まで黒スジが発生してしまう事も無く、良質な原稿読取が可能となる。
【発明を実施するための最良の形態】
【００１３】
本発明の原稿読取装置の実施形態を図３に示す。
【００１４】
図３の２０１はＣＩＳである。
【００１５】
２０２は、積載された原稿を原稿搬送装置内へ給紙をする給紙ローラである。
【００１６】
２０３は、給紙された原稿を、ＣＩＳ２０１に対して原稿を安定した位置で搬送する為の原稿搬送白ローラである。
【００１７】
２０４は、原稿台ガラスである。
【００１８】
２０５は、原稿台ガラス２０４へゴミやインクの付着を防ぐ原稿と原稿台ガラスの間に入る透明な材質のシートである。
【００１９】
２０６は、シート２０５を前後に移動させるシート搬送ローラである。
【００２０】
２０７は、シート２０５を洗浄する洗浄装置である。
【００２１】
図４は、回路構成のブロック図である。
【００２２】
３０１はＣＩＳである。
【００２３】
３０２は、Ａ／Ｄコンバータである。
【００２４】
３０３は、シェーディング補正装置である。
【００２５】
３０４は、本原稿読取装置の制御装置である。
【００２６】
３０５は、ゴミを判定する為に使用する比較器である。
【００２７】
３０６は、透明シートを移動させる為のシート搬送ローラを制御するシート移動制御装置である。
【００２８】
図５は、本発明の実施例におけるフローチャートである。
【００２９】
先ず、本原稿読取装置は、シェーディング補正用のデータを読み込んだ後に、ＣＩＳ２０１を搬送ローラ２０３の直下への移動を行う。
【００３０】
次に、積載された第１の原稿を給紙ローラ２０２によって、装置内に原稿を給紙する。給紙された第１原稿は読取装置内部を通り、搬送ローラ２０３へと向かう。
【００３１】
第１原稿が、搬送ローラ２０３の下、つまりＣＩＳ２０１の上を通過する際に、ＣＩＳ２０１は第１原稿の画像を読み取る。読み取られた原稿画像は、Ａ／Ｄコンバータ３０２でデジタル画像に変換される。そして、デジタル画像は画像制御装置３０４に送られる。この動作を１ページ分のライン数を繰り返し、第１の原稿読取を終了する。
【００３２】
この時、もし第１の原稿にゴミや定着性の悪いインクが付着していた場合、その汚れはシート２０５の上側の面に付着する事となる。第１原稿は、読み取られた後に排紙ローラを通過して本原稿読取装置から排紙される。
【００３３】
次に、給紙ローラ２０２は第二原稿を給紙する。この時、ＣＩＳ２０１は白ローラ２０８を読み取る。読み取られた白ローラの輝度はＡ／Ｄコンバータ３０２にてデジタル変換され、シェーディング補正装置３０３でシェーディング補正されて、デジタル表現された白ローラ２０８の輝度データとなる。比較器３０５では、制御装置３０４から与えられた閾値と、前記輝度データとを比較する。この時、シート２０５にゴミやインクが付着していた場合、その位置の輝度データは低い値になる筈である。比較機３０５はシェーディング補正装置から出力される輝度データの中で、１画素若しくは、設定値画素分の連続した閾値よりも低い輝度データが入力されたかどうかを検知して、シート移動装置３０６に送る。シート移動装置３０６は閾値より高い輝度情報をＣＩＳ２０１の全画素から入力されるまでシート移動装置３０６にシート移動命令を送る。ＣＩＳ２０１に全画素が閾値を超える輝度を持った読取情報が入力されるとシート２０５の移動を止め、次の動作に入る。これにより、第１の原稿を読み取る時に付着したゴミやインクがＣＩＳ２０１の読取位置からは外れる事となる。
【００３４】
給紙された第２原稿は読取装置内部を通り、搬送ローラ２０３へと向かう。第２原稿が、搬送ローラ２０３の下、つまりＣＩＳ２０１の上を通過する際に、ＣＩＳ２０１は第２原稿の画像を読み取り、画像制御装置に原稿画像を送る。この場合、第１原稿読取時に付着したゴミやインクはすでに読取位置上には存在しない為、黒筋の発生しない原稿読取が可能である。
【００３５】
第２原稿が読み取られて排紙されると、シート搬送ローラ２０６は、更にシート２０５を前方に１ｍｍ程移動させて、第２原稿に付着していたゴミやインクを読取位置から外す。そして給紙ローラは第３原稿を給紙する。
【００３６】
以上の動作を繰り返し行うことで、読取位置で付着したゴミやインクを次ページにまで読み取る事で黒スジ出力をする事がない原稿読取をする。積載された原稿が無くなると、シート搬送ローラ２０６はシート２０５を後方へ移動して、次に原稿が積載台に積載されて再度原稿読取が始まる準備をする。この時、シート清掃装置２０６は移動していくシートに対してインク除去とゴミの吸引を行うことで、シート２０５が再度使用されても、本原稿装置がゴミや付着したインクを読み取らないようにする。
【図面の簡単な説明】
【００３７】
【図１】従来の原稿読取装置の構成図である。
【図２】原稿台にゴミが付着した場合の説明図である。
【図３】本発明の原稿読取装置の構成図である。
【図４】回路構成のブロック図である。
【図５】本発明の実施例の制御フローチャートである。
【符号の説明】
【００３８】
１０１  原稿照明装置
１０２  リニアイメージセンサ（図の場合はＣＩＳ）
１０３  原稿台ガラス
１０４  リニアイメージセンサ搬送用のパルスモータ
１０５  搬送用ベルト
１０６  原稿給紙ローラ
１０７  原稿搬送ローラ
１０８  白基準板
２０１  ＣＩＳ
２０２  給紙ローラ
２０３  原稿搬送白ローラ
２０４  原稿台ガラス
２０５  シート
２０６  シート搬送ローラ
２０７  シート洗浄装置
【図１】
2006211355.tif 000003
【図２】
2006211355.tif 000004
【図３】
2006211355.tif 000005
【図４】
2006211355.tif 000006
【図５】
2006211355.tif 000007